(57)【要約】【課題】本装置を取り外したり、あるいは別の部品や装置等を追加することなく、本装置に設けられている無線通信部が正常であるか、故障しているかを簡単に点検して報知する。【解決手段】ＬＥＤ照明部１１と、ビーコン信号受信部１３ａと、Ｗｉ-Ｆｉ信号送受信部（無線ＬＡＮ信号送受信部）１３ｂとを有し、制御部１４のＭＣＵ１４ａは、壁スイッチ２において管理モードに移行するための所定操作が実行され、かつ、ビーコン信号受信部１３ａが所定のビーコン信号を受信した場合に、管理モードに移行して、Ｗｉ-Ｆｉ信号送受信部１３ｂがＷｉ-Ｆｉルータ３と接続できるか否かを検出し、その検出結果をＬＥＤ照明部１１による通常の点灯時とは異なる点滅動作等によって報知する。【選択図】図１
2018085281.tif 000002
【特許請求の範囲】
【請求項１】
スイッチの操作により点灯および消灯する照明部と、
ビーコン信号を受信するビーコン信号受信部と、
無線ＬＡＮの信号を送受信する無線ＬＡＮ信号送受信部と、
前記スイッチにおいて管理モードに移行するための所定操作が実行され、かつ、前記ビーコン信号受信部が所定のビーコン信号を受信した場合に、管理モードに移行して、前記無線ＬＡＮ信号送受信部が正常状態にあるか、故障状態にあるかを検出し、その検出結果を前記照明部によって報知するように制御する制御部と、
を有することを特徴とする無線通信機能付き照明装置。
【請求項２】
請求項１記載の無線通信機能付き照明装置において、
前記制御部は、
前記ビーコン信号受信部が管理者に割り当てられた管理者用のビーコンＩＤ情報を有するビーコン信号を受信した際に所定のビーコン信号を受信したものとすることを特徴とする無線通信機能付き照明装置。
【請求項３】
請求項１または請求項２記載の無線通信機能付き照明装置において、
前記制御部は、
所定時間内に前記スイッチのＯＮ・ＯＦＦの切替え操作が所定回数以上連続して繰り返された場合に、前記スイッチにおいて管理モードに移行するための所定操作が実行されたものとすることを特徴とする無線通信機能付き照明装置。
【請求項４】
請求項１または請求項２記載の無線通信機能付き照明装置において、
前記制御部は、
所定期間内に前記スイッチの最初のＯＮがあった場合に、前記スイッチにおいて管理モードに移行するための所定操作が実行されたものとすることを特徴とする無線通信機能付き照明装置。
【発明の詳細な説明】
【技術分野】
【０００１】
本発明は、スイッチの操作により点灯および消灯する照明部と、無線信号を送受信する無線送受信部とを有する無線通信機能付き照明装置に関し、特に、無線通信機能としてビーコン信号を受信したり、無線ＬＡＮ信号を送受信する無線通信機能付き照明装置に関する。
【背景技術】
【０００２】
近年、情報通信の発達により、全てのモノ（物）がインターネットに接続される“ＩｏＴ”（Internet of Things）技術の研究や応用が進められており、そのため、社員が所持する社員証やＩＤカード、ＰＣ等に予めＩＤ情報を割り当ておき、人やモノ（物）の位置や移動を管理することが始まっている。
【０００３】
そのため、社員証やＩＤカード、ＰＣ等に予め割り当てるＩＤ情報を、ビーコン信号のＩＤ情報であるビーコンＩＤ情報に対応させ、それらから送信されるビーコン信号を受信するビーコン信号受信部を設ける一方、そのビーコン信号受信部によって受信したビーコンＩＤ情報を当該照明装置のＩＤ情報と共にルータやネットワークを介し管理用サーバ等に対し送受信する無線ＬＡＮ送受信部が設けられた無線通信機能付き照明装置が提案されている（例えば、特許文献１参照。）。
【０００４】
管理用サーバ等では、無線通信機能付き照明装置から収集した人やモノ（物）の位置や移動の情報を処理して各種の管理を行う。
【先行技術文献】
【特許文献】
【０００５】
【特許文献１】特開平２０１５−１３３３１１公報
【発明の概要】
【発明が解決しようとする課題】
【０００６】
しかし、上述の特許文献１の無線通信機能付き照明装置は、あくまで照明装置であって天井に設けられるため、無線通信部が正常であるか、故障しているか否かの点検を行う場合、天井に取り付けられた無線通信機能付き照明装置を取り外して点検を行う必要があり、その点検作業に手間がかかるという問題があった。
【０００７】
特に、照明部として複数のＬＥＤを用いたＬＥＤ照明部の場合、蛍光灯等より寿命が長いため、取り外して交換する機会が減ると共に、工場や倉庫、店舗、展示会場等は、天井が高く、照明装置の設置位置も高くなるため、無線通信機能付き照明装置の取り外し作業自体が困難であるという問題があった。
【０００８】
そこで、本発明は、このような問題点に着目してなされたもので、本装置を取り外したり、あるいは別の部品や装置等を追加することなく、本装置に設けられている無線通信部が正常であるか、故障しているかを簡単に点検して報知することができる無線通信機能付き照明装置を提供することを目的とする。
【課題を解決するための手段】
【０００９】
前記課題を解決するため、本発明の無線通信機能付き照明装置は、スイッチの操作により点灯および消灯する照明部と、ビーコン信号を受信するビーコン信号受信部と、無線ＬＡＮの信号を送受信する無線ＬＡＮ信号送受信部と、前記スイッチにおいて管理モードに移行するための所定操作が実行され、かつ、前記ビーコン信号受信部が所定のビーコン信号を受信した場合に、管理モードに移行して、前記無線ＬＡＮ信号送受信部が正常状態にあるか、故障状態にあるかを検出し、その検出結果を前記照明部によって報知するように制御する制御部と、を有することを特徴とする。
ここで、前記無線通信機能付き照明装置において、前記制御部は、前記ビーコン信号受信部が管理者に割り当てられた管理者用のビーコンＩＤ情報を有するビーコン信号を受信した際に所定のビーコン信号を受信したものとすると良い。
また、前記無線通信機能付き照明装置において、前記制御部は、所定時間内に前記スイッチのＯＮ・ＯＦＦの切替え操作が所定回数以上連続して繰り返された場合に、前記スイッチにおいて管理モードに移行するための所定操作が実行されたものとすると良い。
また、前記無線通信機能付き照明装置において、前記制御部は、前記制御部は、所定期間内に前記スイッチの最初のＯＮがあった場合に、前記スイッチにおいて管理モードに移行するための所定操作が実行されたものとすると良い。
【発明の効果】
【００１０】
本発明の無線通信機能付き照明装置によれば、所定のビーコン信号を発信するビーコン発信端末を携帯して、スイッチにおいて管理モードに移行するための所定操作した場合、制御部はそれを検出して管理モードに移行し、無線ＬＡＮ信号送受信部が正常状態にあるか、故障状態にあるかを検出し、その検出結果を照明部が通常の点灯時と異なる動作で報知する。
そのため、本発明に係る無線通信機能付き照明装置によれば、本装置を取り外したり、あるいは別の部品や装置等を追加することなく、照明部の点灯状態によって本装置に設けられている無線ＬＡＮ信号送受信部が正常であるか、故障しているかを簡単に認識することができる。
また、本発明に係る無線通信機能付き照明装置では、管理モードに移行する際の条件として、本装置のスイッチにおける所定操作だけでなく、ビーコン信号受信部が所定のビーコン信号を受信することも条件としている。
そのため、本装置のスイッチにおける所定操作だけでは管理モードに移行しないため、スイッチのイタズラ操作によって管理モードに移行することを防止できる。
また、ビーコン信号の到達距離範囲内に無線通信機能付き照明装置が位置していて、本装置のスイッチにおいて管理モードに移行するための所定操作が実行された際に、本装置が管理モードに移行しなかった場合、本装置のビーコン信号受信部が所定のビーコン信号を受信できず、故障等しているものと認識することができる。
その結果、本発明に係る無線通信機能付き照明装置によれば、管理モードに移行することによって、本装置を取り外したり、あるいは別の部品や装置等を追加することなく、照明部の点灯状態により、無線ＬＡＮ信号送受信部だけでなく、ビーコン信号受信部の正常または異常も簡単に検出することができる。
【図面の簡単な説明】
【００１１】
【図１】本発明に係る実施形態１の無線通信機能付き照明装置をＷｉ-Ｆｉルータ等が設置された室内の天井に設置して、インターネット等のネットワークと接続可能な環境に設定した状態を示す図である。
【図２】実施形態１の無線通信機能付き照明装置におけるＡＣ／ＤＣ変換回路の詳細な構成例等を示す回路図である。
【図３】（ａ），（ｂ）は、それぞれ、ビーコン発信端末からビーコン信号受信部へ送信されるビーコン信号と、受信したビーコン信号に基づきＷｉ-Ｆｉ信号送受信部からＷｉ-Ｆｉルータへ送信されるＷｉ-Ｆｉ信号のデータ構成の概略を示す図である。
【図４】実施形態１の無線通信機能付き照明装置の動作を示すフローチャートである。
【図５】所定のビーコン信号を発信するビーコン発信端末を携帯した管理者が壁スイッチを操作している状態を示す図である。
【図６】（ａ）〜（ｄ）は、それぞれ、所定のビーコン信号を発信するビーコン発信端末を携帯した管理者が壁スイッチを操作した場合における壁スイッチのＯＮ／ＯＦＦ状態、ＡＣ電圧検出部の出力状態、ＡＣ／ＤＣ変換部の出力状態、制御部１４のＭＣＵ１４ａの制御モードを示すタイミングチャートである。
【図７】実施形態１の無線通信機能付き照明装置におけるＬＥＤ照明部の状態と、制御部の制御モードとの関係等を示す図である。
【図８】実施形態２の無線通信機能付き照明装置の動作を示すフローチャートである。
【図９】実施形態３の無線通信機能付き照明装置の動作を示すフローチャートである。
【発明を実施するための形態】
【００１２】
以下、本発明に係る実施形態１〜３の無線通信機能付き照明装置１を、添付図面を参照しながら詳細に説明する。なお、下記に説明する実施形態１〜３はあくまで本発明の一例であり、本発明は、下記の実施形態１〜３に限定されるものではなく、本発明の技術思想の範囲内で適宜変更可能である。
【００１３】
実施形態１．
＜実施形態１の無線通信機能付き照明装置１の構成＞
図１は、本発明に係る実施形態１の無線通信機能付き照明装置（以下、適宜、照明装置と略す場合がある。）１をＷｉ-Ｆｉルータ３等が設置された部屋Ｒの天井に設置して、インターネット等のネットワーク６と接続可能な環境に設定した状態を示す図である。
【００１４】
実施形態１の無線通信機能付き照明装置１は、工場や倉庫、店舗、展示会場等の建物の部屋Ｒの天井等に１台または複数台設置されるもので、図１に示すように、ＬＥＤ照明部１１と、ＡＣ／ＤＣ変換回路１２と、無線通信部１３と、制御部１４とを備えており、壁に設けられた壁スイッチ２のＯＮ・ＯＦＦの切替え操作によってＬＥＤ照明部１１および無線通信部１３が動作したり、停止するように構成されている。なお、図１では、説明の便宜上、照明装置１は部屋Ｒ内に1台のみしか図示していないが、後述する図５に示すように複数台設置されていても良い。
【００１５】
ＬＥＤ照明部１１は、複数のＬＥＤを有しており、実施形態１では、後述する図５に示すように複数のＬＥＤ素子を１列または複数列で直線状に配置した直管型ＬＥＤ蛍光管を使用している。
【００１６】
ＡＣ／ＤＣ変換回路１２は、壁スイッチ２を介して建物内に供給されている交流電流を直流電流に変換して、ＬＥＤ照明部１１や無線通信部１３、制御部１４等に供給するもので、詳細な回路構成例は、後述する図２に示す。
【００１７】
無線通信部１３は、ビーコン信号を受信するビーコン信号受信部１３ａと、無線ＬＡＮの信号を送受信する無線ＬＡＮ信号送受信部であるＷｉ-Ｆｉ信号送受信部１３ｂとを備えている。
【００１８】
ビーコン信号受信部１３ａは、ビーコン発信端末４から発信されたビーコン信号を受信するものである。ビーコン信号には、音波のビーコン信号や、ＢＬＥビーコン信号、すなわちBluetooth（登録商標）4.0規格の一部としてＢＬＥ (Bluetooth Low Energy）規格のビーコン信号等があるが、実施形態１では、消費電力が小さく、かつ、到達距離が１００ｍ前後と大きいＢＬＥビーコン信号を使用する。
【００１９】
Ｗｉ-Ｆｉ信号送受信部１３ｂは、無線ＬＡＮの規格であるWi-Fi Allianceによって規格された国際標準規格のIEEE 802.11規格の無線ＬＡＮ信号を送受信するもので、Ｗｉ-Ｆｉルータ３およびイントラネットやインターネット等のネットワーク６を介して、各種サーバ８や缶利用端末（管理用サーバ）９との間でデータを送受信する。
【００２０】
制御部１４は、ＭＣＵ１４ａと、メモリ１４ｂ等を備えており、ＭＣＵ１４ａが内蔵したＲＯＭ（図示せず。）に予め記憶されたプログラムを実行することによって制御モードを通常モードまたは管理モードに切り替えて、この無線通信機能付き照明装置１を構成するＬＥＤ照明部１１や無線通信部１３等の動作を制御すると共に、後述するように本発明の制御部として機能する。
【００２１】
壁スイッチ２は、建物の部屋Ｒの壁等に設けられており、入室者や管理者がＯＮ操作またはＯＦＦ操作することによって本装置１に対し電源ケーブル２１を介して電流を供給して、無線通信機能付き照明装置１のＯＮ・ＯＦＦ状態を切替えるものである。
【００２２】
Ｗｉ-Ｆｉルータ３は、複数台の情報処理端末５や実施形態１の無線通信機能付き照明装置１から送信された無線ＬＡＮ信号による送信データを、インターネット等のネットワーク７を介し各種サーバ８へ送信したり、各種サーバ８がネットワーク７を介し受信したデータを無線ＬＡＮ信号に変換して、このＷｉ-Ｆｉルータ３に接続されている複数台の情報処理端末５や実施形態１の無線通信機能付き照明装置１へ送信するように中継するもので、市販の周知のものである。
【００２３】
ビーコン発信端末４は、それぞれ、後述する図３（ａ）に示すような構造のビーコン信号を発信するもので、管理者や社員、セミナーの受講者等、この無線通信機能付き照明装置１が天井に設置された部屋Ｒ内に入室する者それぞれが携帯するものである。ビーコン発信端末４には、例えば、カード型やペンダント型のものがあり、電池や振動発電によって動作してビーコン信号を送信する。尚、入室者が所有しているスマホ等の携帯端末に、ビーコン信号発信アプリをインストールしてビーコン発信端末４とすることもできる。
【００２４】
情報処理端末５は、汎用のＰＣやスマホ、タブレット等の通信機能を有する情報処理端末であり、ユーザが各種アプリケーションプログラムを実行してデータ処理を行ったり、Ｗｉ-Ｆｉルータ３を介しデータを送受信するものである。
【００２５】
照明装置設定用端末６は、汎用のＰＣやスマホ、タブレット等を利用したものであり、Ｗｉ-Ｆｉルータ３を介し実施形態１の無線通信機能付き照明装置１の制御部１４にアクセスして、ＬＥＤ照明部１１における照度（明るさ）を設定したり、管理モードに移行するための所定のビーコン信号を設定したり、管理モードに移行するための所定操作を設定する。ここでは、照明装置設定用端末６により管理モードに移行するための所定のビーコン信号として、例えば、管理者用のビーコンＩＤ情報を設定し、また、管理モードに移行するための所定操作として、例えば、５秒以内に壁スイッチ２のＯＮ・ＯＦＦの切替え操作が３回以上連続して繰り返されたことを設定するものとするが、本発明では、これ以外の値でも勿論良い。
【００２６】
ネットワーク７は、イントラネットやインターネット等のネットワークである。
【００２７】
各種サーバ８は、イントラネットやインターネット等のネットワークに接続されたウエブサーバや、データサーバ、アプリケーションサーバ等の各種のサーバである。
【００２８】
管理用端末（管理用サーバ）９は、汎用のＰＣ等を利用した端末またはサーバであり、無線通信機能付き照明装置１のＷｉ-Ｆｉ信号送受信部１３ｂから送信されたＷｉ-Ｆｉ信号Ｓ２を、Ｗｉ-Ｆｉルータ３およびネットワーク７を介して受信し収集して管理するものである。尚、管理用端末９は、照明装置設定用端末６と同様にネットワーク７を介さずにＷｉ-Ｆｉルータ３を介して無線通信機能付き照明装置１からのＷｉ-Ｆｉ信号Ｓ２を受信するように接続しても良いし、照明装置設定用端末６に管理用端末９の機能を持たせたり、あるいはその反対に管理用端末９に照明装置設定用端末６の機能を持たせるようにしても良い。
【００２９】
図２は、本発明に係る実施形態１の無線通信機能付き照明装置１におけるＡＣ／ＤＣ変換回路１２の詳細な構成例等を示す回路図である。
【００３０】
ＡＣ／ＤＣ変換回路１２は、壁スイッチ２と電源ケーブル２１を介して接続されており、ＡＣ／ＤＣ変換部１２ａと、ＡＣ電圧検出部１２ｂとを備えている。
【００３１】
ＡＣ／ＤＣ変換部１２ａは、例えば、ヒューズ１２ａ１や、整流回路１２ａ２、電解コンデンサ１２ａ３、電圧安定化回路１２ａ４等を備えており、交流（ＡＣ）電流を所定電圧の直流（ＤＣ）電流に変換して照明装置１内のＬＥＤ照明部１１や、無線通信部１３、制御部１４等に供給する。
【００３２】
ＡＣ電圧検出信号生成部１２ｂは、ダイオード１２ｂ１や、抵抗１２ｂ２，１２ｂ３、フォトカプラ１２ｂ４等を備えており、壁スイッチ２のＯＮまたはＯＦＦによる電源ケーブル２１のＡＣラインの電圧変化を、後述する図６（ｂ）に示すように“ＨＩＧＨ”または“ＬＯＷ”の信号として制御部１４のＭＣＵ１４ａへ送るように構成されている。制御部１４のＭＣＵ１４ａは、後述するようにＡＣ電圧検出信号生成部１２ｂの壁スイッチ２のＯＮまたはＯＦＦ操作による電源ケーブル２１のＡＣラインの電圧変化と、ビーコン信号受信部１３ａからのビーコン信号を入力信号として、ＬＥＤ照明部１１や無線通信部１３を制御する。
【００３３】
図３（ａ），（ｂ）は、それぞれ、ビーコン発信端末４から本装置１のビーコン信号受信部１３へ送信されるビーコン信号と、ビーコン信号受信部１３が受信したビーコン信号Ｓ１に基づき本装置１のＷｉ-Ｆｉ信号送受信部１３ｂからＷｉ-Ｆｉルータ３へ向けて送信されるＷｉ-Ｆｉ信号Ｓ２のデータ構成の概略を示す図である。
【００３４】
つまり、図３（ａ）は、ビーコン発信端末４から本装置１のビーコン信号受信部１３へ送信されるＢＬＥ（Bluetooth Low Energy）規格のビーコン信号Ｓ１の構造を示しており、このビーコン信号Ｓ１には、少なくとも、ビーコン電波強度Ｓ１ａと、他のビーコン信号と識別するためのビーコンＩＤ情報Ｓ１ｂが含まれている。
【００３５】
図３（ｂ）は、本装置１のビーコン信号受信部１３が受信したビーコン信号に基づき、Ｗｉ-Ｆｉ信号送受信部１３ｂからＷｉ-Ｆｉルータ３へ向けて送信されるＷｉ-Ｆｉ信号Ｓ２のデータの構造を示しており、このＷｉ-Ｆｉ信号Ｓ２には、少なくとも、Ｗｉ-Ｆｉ信号送受信部１３ｂが送信するＷｉ-Ｆｉ信号のシーケンス（順番）を示すシーケンス番号Ｓ２ａと、このＷｉ-Ｆｉ信号送受信部１３ｂを他の無線通信機能付き照明装置１のＷｉ-Ｆｉ信号送受信部１３ｂと識別するため予め設定されたＷｉ-Ｆｉ信号送受信部ＩＤ情報Ｓ２ｂと、この無線通信機能付き照明装置１のビーコン信号受信部１３が受信した図３（ａ）に示すビーコン信号Ｓ１のビーコン電波強度Ｓ１ａおよび当該ビーコン信号Ｓ１のビーコンＩＤ情報Ｓ１ｂと、当該ビーコン信号Ｓ１の受信時刻であるビーコン受信時刻Ｓ２ｃ等が含まれている。
【００３６】
＜実施形態１の無線通信機能付き照明装置１の動作＞
次に、以上のように構成された実施形態１の無線通信機能付き照明装置１の動作について説明する。
【００３７】
図４は、実施形態１の無線通信機能付き照明装置１の動作を示すフローチャートである。
【００３８】
図４に示すように、無線通信機能付き照明装置１では、通常は、通常モード（ステップＳ１００）の状態にある。そのため、壁スイッチ２がＯＦＦの状態にあると（ステップＳ１１０“ＮＯ”）、本装置１に電流は供給されないので、ＬＥＤ照明部１１は消灯したままである。無線通信部１３を構成するビーコン信号受信部１３ａはビーコン発信端末４からのビーコン信号を受信せず、Ｗｉ-Ｆｉ信号送受信部１３ｂも動作しない。
【００３９】
これに対し、本装置１の通常モード（ステップＳ１００）において、壁スイッチ２がＯＮになると（ステップＳ１１０“ＹＥＳ”）、本装置１へ電源ケーブル２１を介し交流電流が供給され、その交流電流がＡＣ／ＤＣ変換回路１２のＡＣ／ＤＣ変換部１２ａ（図２参照。）で所定電圧の直流電流に変換されて、本装置１内のＬＥＤ照明部１１や無線通信部１３、制御部１４等に供給される。
【００４０】
すると、ＬＥＤ照明部１１は点灯して周囲を照らす。無線通信部１３を構成するビーコン信号受信部１３ａおよびＷｉ-Ｆｉ信号送受信部１３ｂも動作して、ビーコン発信端末４から図３（ａ）に示すような構造のビーコン信号が送信してくれば受信する一方、Ｗｉ-Ｆｉ信号送受信部１３ｂは図３（ｂ）に示すような構造のＷｉ-Ｆｉ信号をＷｉ-Ｆｉルータ３へ向けて送信する。
【００４１】
制御部１４のＭＣＵ１４ａは、照明装置１全体を制御すると共に、本発明の制御部として機能し、まずは電源ケーブル２１およびＡＣ／ＤＣ変換回路１２のＡＣ電圧検出部１２ｂ（図２参照。）を介し供給される交流電流の変動に基づいて、壁スイッチ２において管理モードに移行するための所定操作が実行されたか否かを判定する（ステップＳ１２０）。
【００４２】
ここで、実施形態１の制御部１４のＭＣＵ１４ａは、所定時間内に壁スイッチ２のＯＮ・ＯＦＦの切替え操作が所定回数以上連続して繰り返された場合、具体的には、例えば、５秒以内に、壁スイッチ２のＯＮ・ＯＦＦの切替え操作が３回以上連続して繰り返された場合に壁スイッチ２において管理モードに移行するための所定操作が実行されたものと判定する。尚、これらの所定時間および所定回数の条件は、照明装置設定用端末６や管理用端末９等で任意に設定したり、変更することができる。
【００４３】
そして、５秒以内に壁スイッチ２のＯＮ・ＯＦＦの切替え操作が３回以上連続して繰り返されない場合（ステップＳ１２０“ＮＯ”）、制御部１４のＭＣＵ１４ａは、通常モード（ステップＳ１００）のまま無線通信部１３を構成するビーコン信号受信部１３ａおよびＷｉ-Ｆｉ信号送受信部１３ｂの動作を制御したり、必要あればＬＥＤ照明部１１の照度（明るさ）や色等を制御する。
【００４４】
これに対し、制御部１４のＭＣＵ１４ａは、５秒以内に壁スイッチ２のＯＮ・ＯＦＦの切替え操作が３回以上連続して繰り返されたことを検出した場合（ステップＳ１２０“ＹＥＳ”）、続いて無線通信部１３のビーコン信号受信部１３ａが所定のビーコン信号を受信しているか否かを判定する（ステップ１３０）。所定のビーコン信号とは、例えば、管理者が携帯するビーコン発信端末４に割り当てられた管理者用のビーコンＩＤ情報を有するビーコン信号等であり、管理者用のビーコンＩＤ情報は１つでも複数でも勿論良い。なお、管理者用のビーコンＩＤ情報は、照明装置設定用端末６や管理用端末９等から任意に設定したり、変更することができる。
【００４５】
そして、５秒以内に壁スイッチ２のＯＮ・ＯＦＦの切替え操作が３回以上連続して繰り返されたことを検出していても（ステップＳ１２０“ＹＥＳ”）、無線通信部１３のビーコン信号受信部１３ａが所定のビーコン信号を受信していない場合（ステップ１３０“ＮＯ”）、管理者以外による壁スイッチ２のイタズラ等とみなせるので、制御部１４のＭＣＵ１４ａは、５秒以内に壁スイッチ２のＯＮ・ＯＦＦの切替え操作が３回以上連続して繰り返されない場合（ステップＳ１２０“ＮＯ”）と同様に、通常モード（ステップＳ１００）のまま無線通信部１３を構成するビーコン信号受信部１３ａおよびＷｉ-Ｆｉ信号送受信部１３ｂの動作を制御したり、必要あればＬＥＤ照明部１１の動作を制御する。
【００４６】
これに対し、ビーコン信号受信部１３ａが管理者用のビーコンＩＤ情報を有するビーコン信号を受信した場合（ステップ１３０“ＹＥＳ”）、５秒以内に壁スイッチ２のＯＮ・ＯＦＦの切替え操作が３回以上連続して繰り返されているため（ステップＳ１２０“ＹＥＳ”）、管理者によって壁スイッチ２において管理モードに移行するための所定操作が実行されたものとみなして、制御部１４のＭＣＵ１４ａは、管理モード（ステップＳ１４０）に移行する。
【００４７】
図５は、所定のビーコン信号を発信するビーコン発信端末４を携帯した管理者が壁スイッチ２を操作している状態を示す図である。
【００４８】
図５に示すように、管理者用のビーコン発信端末４を携帯した管理者が壁スイッチ２を操作するため部屋Ｒ内に入ると、管理者用のビーコン発信端末４から管理者用のビーコンＩＤ情報を有するビーコン信号が、その部屋Ｒの天井に設置された複数の無線通信機能付き照明装置１へ送信されるので、各装置１の無線通信部１３のビーコン信号受信部１３ａは、管理者用のビーコン発信端末４からのビーコン信号を受信する。尚、図５に示す無線通信機能付き照明装置１では、ＬＥＤ照明部１１と、無線通信部１３を構成するビーコン信号受信部１３ａおよびＷｉ-Ｆｉ信号送受信部１３ｂのみを図示し、それら以外の構成は図示を省略している。
【００４９】
図４のフローチャートの説明に戻り、制御部１４のＭＣＵ１４ａは、管理モード（ステップＳ１４０）に入ると、無線通信部１３のＷｉ-Ｆｉ信号送受信部１３ｂに対し動作開始指令を出力して、Ｗｉ-Ｆｉルータ３とＷｉ-Ｆｉ接続できるか否かを判定する（ステップＳ１５０）。
【００５０】
ここで、Ｗｉ-Ｆｉ信号送受信部１３ｂがＷｉ-Ｆｉルータ３とＷｉ-Ｆｉ接続できた場合（ステップＳ１５０“ＹＥＳ”）、制御部１４のＭＣＵ１４ａは、Ｗｉ-Ｆｉ信号送受信部１３ｂが正常状態にあるとみなして、管理者等にＷｉ-Ｆｉ信号送受信部１３ｂが正常状態にあることを報知するため、ＬＥＤ照明部１１を例えば２秒間隔の低速で点滅させる（ステップＳ１６０）。
【００５１】
これにより、管理者は、ＬＥＤ照明部１１の例えば２秒間隔の低速で点滅動作することを確認することによって、Ｗｉ-Ｆｉ信号送受信部１３ｂが正常状態にあることを検出することができる。
【００５２】
これに対し、無線通信部１３のＷｉ-Ｆｉ信号送受信部１３ｂがＷｉ-Ｆｉルータ３とＷｉ-Ｆｉ接続できなかった場合（ステップＳ１５０“ＮＯ”）、制御部１４のＭＣＵ１４ａは、Ｗｉ-Ｆｉ信号送受信部１３ｂが故障状態にあるものとみなして、ＬＥＤ照明部１１を例えば０．５間隔の高速で点滅させる（ステップＳ１７０）。
【００５３】
これにより、管理者は、ＬＥＤ照明部１１の例えば０．５間隔の高速で点滅動作することを確認することによって、Ｗｉ-Ｆｉ信号送受信部１３ｂが故障状態にあることを検出することができる。
【００５４】
そして現在は、照明装置１が管理モードにあり、Ｗｉ-Ｆｉ信号送受信部１３ｂがＷｉ-Ｆｉルータ３とＷｉ-Ｆｉ接続できた場合も（ステップＳ１５０“ＹＥＳ”）、Ｗｉ-Ｆｉ接続できなかった場合も（ステップＳ１５０“ＮＯ”）、ステップＳ１６０またはステップＳ１７０の処理によってＬＥＤ照明部１１が点滅しているため、続いて制御部１４のＭＣＵ１４ａは、ＡＣ／ＤＣ変換回路１２のＡＣ電圧検出部１２ｂ（図２参照。）を介し供給される交流電流の変動に基づいて、壁スイッチ２において通常モードに戻るための所定操作、例えば、ステップＳ１２０と同様に５秒以内に壁スイッチ２のＯＮ・ＯＦＦの切替え操作が３回以上連続して繰り返されたか否かを検出する（ステップＳ１８０）。
【００５５】
ここで、壁スイッチ２において通常モードに戻るための所定操作が実行されない場合には（ステップＳ１８０“ＮＯ”）、ステップＳ１５０の処理に戻り、Ｗｉ-Ｆｉ信号送受信部１３ｂがＷｉ-Ｆｉルータ３とＷｉ-Ｆｉ接続できたか否かに基づいて、ＬＥＤ照明部１１を２秒間隔の低速で点滅させたり（ステップＳ１６０）、０．５間隔の高速で点滅させて（ステップＳ１７０）、Ｗｉ-Ｆｉ信号送受信部１３ｂの正常／故障状態の報知を継続する。
【００５６】
これに対し、壁スイッチ２において通常モードに戻るための所定操作が実行された場合には（ステップＳ１８０“ＹＥＳ”）、無線通信部１３のビーコン信号受信部１３ａが管理者用のビーコンＩＤ情報を有するビーコン信号を受信しているか否かにかかわらず、通常動作へ戻る。
【００５７】
管理モードから通常モードに戻る際、無線通信部１３のビーコン信号受信部１３ａが管理者用のビーコンＩＤ情報を有するビーコン信号を受信しているか否かにかかわらずとした理由は、通常モードから管理モードに移行する際にステップＳ１３０で無線通信部１３のビーコン信号受信部１３ａが管理者用のビーコンＩＤ情報を有するビーコン信号を受信していることを確認しており、管理モードから通常モードに戻る際にも壁スイッチ２のＯＮ・ＯＦＦの切替え操作も管理者が行っている確立が高いからである。
【００５８】
図６（ａ）〜（ｄ）は、それぞれ、所定のビーコン信号を発信するビーコン発信端末４を携帯した管理者が壁スイッチ２を操作した場合における壁スイッチ２のＯＮ／ＯＦＦ状態、ＡＣ電圧検出部１２ｂの出力状態、ＡＣ／ＤＣ変換部１２ａの出力状態、制御部１４のＭＣＵ１４ａの制御モードを示すタイミングチャートである。
【００５９】
図６（ａ）は、壁スイッチ２のタイミングチャートを示しており、時間ｔ０〜ｔ１および時間ｔ６以降はＯＦＦ状態である一方、時間ｔ１〜ｔ６はＯＮ状態にある。そして、時間ｔ１〜ｔ６のＯＮ時間の内、時間ｔ２〜ｔ３では、壁スイッチ２がＯＮの状態から所定時間内（例えば、５秒以内。）にＯＮ・ＯＦＦの切替え操作が所定回数（例えば、３回。）以上連続して繰り返された管理モードに移行するための所定操作が実行されている場合を示している。
【００６０】
そのため、図４のフローチャートであれば、ステップＳ１１０で“ＹＥＳ”、ステップＳ１２０でも“ＹＥＳ”と判定されることになる。尚、図６は、所定のビーコン信号を発信するビーコン発信端末４を携帯した管理者が壁スイッチ２を操作しているので、時間ｔ２〜ｔ３の壁スイッチ２の所定操作によって図６（ｄ）に示すようにＭＣＵ１４ａの制御モードは、通常モードから管理モードに切替る。
【００６１】
一方、図６（ａ）における時間ｔ４〜ｔ５のように、管理モードにおいて壁スイッチ２がＯＮの状態から所定時間内（例えば、５秒以内。）にＯＮ・ＯＦＦの切替え操作が所定回数（例えば、３回。）以上連続して繰り返された場合、制御部１４のＭＣＵ１４ａは、壁スイッチ２において管理モードから通常モードに戻るための所定操作が実行されたものと判定するため、図４のフローチャートであれば、ステップＳ１８０で“ＹＥＳと判定されることになる。
【００６２】
図６（ｂ）は、電源ケーブル２１に接続されたＡＣ／ＤＣ変換回路１２のＡＣ電圧検出部１２ｂ（図２参照。）の出力の状態を示している。電源ケーブル２１には、壁スイッチ２の動作に連動して交流電流が流れるため、図６（ａ）に示す壁スイッチ２のＯＮ／ＯＦＦ／の状態に同期して、ＨＩＧＨ／ＬＯＷを繰り返すことになる。
【００６３】
図６（ｃ）は、電源ケーブル２１に接続されたＡＣ／ＤＣ変換回路１２のＡＣ／ＤＣ変換部１２ａ（図２参照。）の出力状態を示している。電源ケーブル２１には、壁スイッチ２の動作に連動して交流電流が流れ、ＡＣ／ＤＣ変換部１２ａにおいて整流回路１２ａ２や電解コンデンサ１２ａ３、電圧安定化回路１２ａ４等によって交流（ＡＣ）電流が所定電圧（例えば、３．３Ｖ。）の直流（ＤＣ）電流に変換されて。ＬＥＤ照明部１１や、無線通信部１３、制御部１４等に供給される。
【００６４】
ここで、このＡＣ／ＤＣ変換部１２ａには、電解コンデンサ１２ａ３および電圧安定化回路１２ａ４にコンデンサが設けられているため、ＡＣ／ＤＣ変換部１２ａ（図２参照。）の出力は、図６（ｃ）に示すように、図６（ａ）に示す壁スイッチ２のＯＮ／ＯＦＦ／の状態および図６（ｂ）に示すＡＣ電圧検出部１２ｂ（図２参照。）の出力の状態に対し若干遅延して“０Ｖ”と“３．３Ｖ”の状態になる。
【００６５】
また、このＡＣ／ＤＣ変換部１２ａには、整流回路路１２ａ２の後段に電解コンデンサ１２ａ３および電圧安定化回路１２ａ４が設けられているため、図６（ａ），（ｂ）に示すように時間ｔ２〜ｔ３およびｔ４〜ｔ５の間で壁スイッチ２のＯＮ・ＯＦＦの切替え操作が所定時間内に繰り返され、ＡＣ電圧検出部１２ｂの出力が所定時間内に“ＨＩＧＨ”と“ＬＯＷ”を繰り返した場合でも、ＡＣ／ＤＣ変換部１２ａの出力は“３．３Ｖ”の状態を保持する。
【００６６】
つまり、時間ｔ２〜ｔ３およびｔ４〜ｔ５の間のように壁スイッチ２が短時間だけＯＦＦ状態になる場合があり、壁スイッチ２のＯＦＦ状態では電源ケーブル２１を介し本装置１に交流電流が供給されないが、ＡＣ／ＤＣ変換部１２ａは“３．３Ｖ”の電圧を維持して制御部１４等に直流電流を供給できるので、制御部１４のＭＣＵ１４ａ等は、時間ｔ２〜ｔ３およびｔ４〜ｔ５の間の壁スイッチ２が短時間だけＯＦＦ状態になる場合でも、制御動作を実行することができる。
【００６７】
図６（ｄ）は、制御部１４のＭＣＵ１４ａの制御モードを示している。
【００６８】
この場合、管理者用のビーコン発信端末４を携帯した管理者が、図６（ａ）に示すように時間ｔ２〜ｔ３において壁スイッチ２のＯＮ・ＯＦＦの切替え操作を所定時間内（例えば、５秒以内。）に所定回数（例えば、３回。）以上連続して実行しているため、管理者によるその所定操作によって図６（ｄ）に示すように通常モードから管理モードに切替る。図４のフローチャートであれば、ステップＳ１３０で“ＹＥＳと判定されて、ステップＳ１４０の管理モードに移行することを示している。
【００６９】
一方、時間ｔ４〜ｔ５に示すように、管理モード中に壁スイッチ２のＯＮ・ＯＦＦの切替え操作が所定時間内（例えば、５秒以内。）に所定回数（例えば、３回。）以上連続して繰り返された場合、制御部１４のＭＣＵ１４ａは、管理者によって通常モードへ戻るための所定操作が実行されたものとみなして、管理モードを終了して通常モードへ移行する。図４のフローチャートであれば、ステップＳ１８０で“ＹＥＳと判定されて、ステップＳ１００の通常モードに戻ることを示している。
【００７０】
図７は、実施形態１の無線通信機能付き照明装置１におけるＬＥＤ照明部１１の状態と、制御部１４の制御モードとの関係等を示す図である。
【００７１】
図７に示すように、無線通信機能付き照明装置１では、通常モードにあって壁スイッチ２がＯＦＦの場合には、ＬＥＤ照明部１１が消灯する一方、壁スイッチ２のＯＮによりＬＥＤ照明部１１が点灯する。
【００７２】
そして、通常モードでＬＥＤ照明部１１が点灯している場合に、所定時間（例えば、５秒。）以内に壁スイッチ２のＯＮ・ＯＦＦの切替え操作が所定回数（例えば、３回。）以上連続して繰り返され、かつ、ビーコン信号受信部１３ａが管理者用のビーコンＩＤ情報を有するビーコン信号を受信した場合、管理モードに移行してＬＥＤ照明部１１を点滅させることにより、Ｗｉ-Ｆｉ信号送受信部１３ｂがＷｉ-Ｆｉルータ３とＷｉ-Ｆｉ接続できたか否かを報知する。つまり、無線通信部１３がＷｉ-Ｆｉルータ３と接続できた場合には図４のステップＳ１６０に示すようにＬＥＤ照明部１１を２秒間隔で点滅する一方、Ｗｉ-Ｆｉルータ３と接続できなかった場合には図４のステップＳ１７０に示すようにＬＥＤ照明部１１を０．５秒間隔で点滅させて、管理者に無線通信部１３の故障を報知する。
【００７３】
一方、本装置１が管理モードの状態のときに所定時間内に壁スイッチ２のＯＮ・ＯＦＦ切替え操作が所定回数以上連続して繰り返された場合、無線通信部１３のビーコン信号受信部１３ａが管理者用のビーコンＩＤ情報を有するビーコン信号を受信しているか否かにかかわらず、通常モードに戻る。
【００７４】
以上説明したように、実施形態１の無線通信機能付き照明装置１によれば、制御部１４のＭＣＵ１４ａは、通常モードにおいて管理モードに移行するための所定操作として壁スイッチ２のＯＮ・ＯＦＦの切替え操作が所定時間内に所定回数以上連続して繰り返され、かつ、ビーコン信号受信部１３ａが管理者用のビーコンＩＤ情報を有するビーコン信号を受信した場合、通常モードから管理モードに移行して、Ｗｉ-Ｆｉ信号送受信部１３ｂがＷｉ-Ｆｉルータ３と接続できるか否かを検出し、Ｗｉ-Ｆｉ信号送受信部１３ｂがＷｉ-Ｆｉルータ３と接続できた場合はＬＥＤ照明部１１が２秒間間隔等で低速点滅する一方、Ｗｉ-Ｆｉ信号送受信部１３ｂがＷｉ-Ｆｉルータ３と接続できない場合はＬＥＤ照明部１１が０．５秒間間隔等で高速点滅して、管理者にＷｉ-Ｆｉ信号送受信部１３ｂがＷｉ-Ｆｉルータ３と接続できるか否かを報知する。
【００７５】
そのため、実施形態１の無線通信機能付き照明装置１によれば、管理者は、本装置１を取り外したり、あるいは別の部品や装置等を追加することなく、ＬＥＤ照明部１１の点滅状態によって本装置１に設けられたＷｉ-Ｆｉ信号送受信部１３ｂがＷｉ-Ｆｉルータ３と接続できるか否か、すなわちＷｉ-Ｆｉ信号送受信部１３ｂが正常であるか故障しているかの状態を認識することができる。
【００７６】
特に、実施形態１の無線通信機能付き照明装置１では、管理モードに移行する際の条件として、壁スイッチ２における所定操作だけでなく、ビーコン信号受信部１３ａが管理者用のビーコンＩＤ情報を有するビーコン信号を受信することも条件としている。
【００７７】
そのため、壁スイッチ２における所定操作だけでは管理モードに移行しないため、管理者用のビーコン発信端末４を携帯しない者が壁スイッチ２をイタズラで操作した場合には、管理モードに移行することを防止できる。
【００７８】
また、ビーコン信号の到達距離範囲内に照明装置１が設置されていて、管理者用のビーコン発信端末４を携帯した管理者が壁スイッチ２で管理モードに移行するための所定操作を行った際、他の無線通信機能付き照明装置１ではＬＥＤ照明部１１が点滅してＷｉ-Ｆｉ信号送受信部１３ｂの正常／故障状態を報知しているのに、ＬＥＤ照明部１１が点滅しない無線通信機能付き照明装置１が存在していた場合、当該照明装置１では、管理モードに移行できず、通常モードのまま点灯しているものと判断できる。
【００７９】
その結果、他の無線通信機能付き照明装置１が管理モードに移行してＬＥＤ照明部１１が点滅してＷｉ-Ｆｉ信号送受信部１３ｂの状態を報知しているのに、ＬＥＤ照明部１１が通常モードで点灯している無線通信機能付き照明装置１が存在していた場合、当該照明装置１はビーコン信号受信部１３ａがビーコン信号を受信できず、故障等しているものと判断することができるため、ビーコン信号受信部１３ａの正常または異常も検出することができる。
【００８０】
尚、上記実施形態１の説明では、所定時間内に壁スイッチ２のＯＮ・ＯＦＦ切替え操作が例えば、３回以上等の所定回数以上連続して繰り返され、かつ、ビーコン信号受信部１３ａが管理者用のビーコンＩＤ情報を有するビーコン信号を受信した場合に、管理モードに移行するように説明したが、本発明では、これに限らず、ビーコン信号受信部１３ａが管理者用のビーコンＩＤ情報を有するビーコン信号を受信した場合に、所定時間内に壁スイッチ２のＯＮ・ＯＦＦ切替え操作が１回または２回以上連続して繰り返された場合でも良いし、４回以上連続して繰り返された場合でも勿論良い。また、その所定時間も５秒に限定されず、３秒でも、１０秒でも良い。尚、これらの数値は、上述したように照明装置設定用端末６等で任意に設定したり、変更できる。
【００８１】
また、上記実施形態１の説明では、Ｗｉ-Ｆｉ信号送受信部１３ｂがＷｉ-Ｆｉルータ３とＷｉ-Ｆｉ接続できた場合（ステップＳ１５０“ＹＥＳ”）、ＬＥＤ照明部１１を２秒間隔で点滅させる一方（ステップＳ１６０）、Ｗｉ-Ｆｉ信号送受信部１３ｂがＷｉ-Ｆｉルータ３とＷｉ-Ｆｉ接続できない場合（ステップＳ１５０“ＮＯ”）、ＬＥＤ照明部１１を０．５間隔で点滅（ステップＳ１７０）させて説明したが、本発明では、これに限らず、２秒間隔および０．５間隔以外の点滅間隔、例えば３秒間隔と０．３秒間隔等でも勿論良く、要は、ＬＥＤ照明部１１の点滅動作によってＷｉ-Ｆｉ信号送受信部１３ｂがＷｉ-Ｆｉルータ３とＷｉ-Ｆｉ接続できたか否かを報知できれば良い。尚、これらの数値は、上述したように照明装置設定用端末６等で任意に設定したり、変更できる。
【００８２】
また、上記実施形態１の説明では、通常モードから管理モードに移行する際のステップＳ１２０の判定基準と、管理モードから通常モードに戻る際のステップＳ１８０の判定基準とは共通で、５秒以内に壁スイッチ２のＯＮ・ＯＦＦの切替え操作が３回以上連続して繰り返されたことを判定基準として説明したが、本発明ではこれに限らず、ステップＳ１２０の判定基準とステップＳ１８０の判定基準とを異なる内容にしても良い。例えば、管理モードから通常モードに戻る際のステップＳ１８０の判定基準は、テップＳ１２０の判定基準よりも簡略下して５秒以内に壁スイッチ２のＯＮ・ＯＦＦの切替え操作が１回または２回繰り返されるだけでも良い。
【００８３】
実施形態２．
上記実施形態１の無線通信機能付き照明装置１では、管理モードから通常モードに戻るため、図４におけるステップＳ１８０で、ステップＳ１２０と同様に５秒以内に壁スイッチ２のＯＮ・ＯＦＦの切替え操作が３回以上連続して繰り返されたか否かを検出しているが、実施形態２の無線通信機能付き照明装置１では、管理モードから通常モードに戻るためのステップＳ１８０の処理を不要としたものである。尚、実施形態２の無線通信機能付き照明装置１の構成自体は、実施形態１の無線通信機能付き照明装置１と同様であり、動作が異なるだけであるため、その動作についてのみ説明する。
【００８４】
図８は、実施形態２の無線通信機能付き照明装置１の動作を示すフローチャートである。尚、図４に示す実施形態１の無線通信機能付き照明装置１と同じ処理には、同じステップ番号を付して説明を省略する。
【００８５】
図８に示すように、実施形態２の無線通信機能付き照明装置１では、無線通信部１３のＷｉ-Ｆｉ信号送受信部１３ｂがＷｉ-Ｆｉルータ３とＷｉ-Ｆｉ接続できた場合（ステップＳ１５０“ＹＥＳ”）、制御部１４のＭＣＵ１４ａは、ＬＥＤ照明部１１を例えば２秒間隔で例えば３０秒間だけ点滅させる一方（ステップＳ２００）、Ｗｉ-Ｆｉ信号送受信部１３ｂがＷｉ-Ｆｉルータ３とＷｉ-Ｆｉ接続できなかった場合は（ステップＳ１５０“ＮＯ”）、ＬＥＤ照明部１１を例えば０．５間隔で例えば３０秒間だけ高速点滅させ（ステップＳ２１０）、その３０秒間の点滅動作終了後、制御部１４のＭＣＵ１４ａは、自動的に通常モードに戻る。
【００８６】
つまり、実施形態２の無線通信機能付き照明装置１における制御部１４のＭＣＵ１４ａは、管理モードにおいてＷｉ-Ｆｉ信号送受信部１３ｂがＷｉ-Ｆｉルータ３と接続できたか否かをＬＥＤ照明部１１の点滅により報知する際、ステップＳ２００およびステップＳ２１０により所定時間（３０秒間）だけ点滅して、所定時間（３０秒間）経過後は、ステップＳ１８０の処理を実行せず、自動的に通常モードに戻るようにプログラミングされている。
【００８７】
そのため、実施形態２の無線通信機能付き照明装置１によれば、上記実施形態１の無線通信機能付き照明装置１と同様の効果が得られるだけでなく、実施形態１の無線通信機能付き照明装置１では必要であった図４におけるステップＳ１８０の管理モードから通常モードに戻るための判定処理が不要となり、管理者は管理モードから通常モードに戻るためのスイッチ操作が不要となるので、管理者の負担を軽減することができる。
【００８８】
実施形態３．
上記実施形態１，２の無線通信機能付き照明装置１の説明では、ステップＳ１２０において管理モードに移行するための所定操作として所定時間内に壁スイッチ２のＯＮ・ＯＦＦの切替え操作が所定回数以上連続して繰り返されたことを判定基準としたが、実施形態３の無線通信機能付き照明装置１では、所定時間内のＯＮ・ＯＦＦの切替え操作を不要とし、管理者が所定期間、例えば、毎日最初に各装置１のＬＥＤ照明部１１を点灯させたときに、管理モードに移行するようにしたものである。尚、実施形態３の無線通信機能付き照明装置１の構成自体は、実施形態１の無線通信機能付き照明装置１と同様であり、動作が異なるだけであるため、その動作についてのみ説明する。
【００８９】
図９は、実施形態３の無線通信機能付き照明装置１の動作を示すフローチャートである。尚、図４に示す実施形態１の無線通信機能付き照明装置１や、図８に示す実施形態２の無線通信機能付き照明装置１と同じ処理には、同じステップ番号を付して説明を省略する。
【００９０】
図９に示すように、実施形態３の無線通信機能付き照明装置１では、通常モード（ステップＳ１００）において、壁スイッチ２がＯＮされた場合（ステップＳ１１０“ＹＥＳ”）、実施形態３の制御部１４のＭＣＵ１４ａは、内蔵クロックやタイマー（図示せず。）等に基づいて、その壁スイッチ２のＯＮが、例えば、毎日の最初（１回目）のＯＮであるか否かを判定する（ステップＳ３００）。
【００９１】
ここで、壁スイッチ２のＯＮが毎日の最初（１回目）のＯＮでない場合（ステップＳ３００“ＮＯ”）、例えば、朝に壁スイッチ２のＯＮにされた後、ＯＦＦにされ、その後、再度、同じ日の日中に壁スイッチ２がＯＮされた場合、制御部１４のＭＣＵ１４ａは、通常モードのまま無線通信部１３やＬＥＤ照明部１１の動作を制御する。
【００９２】
これに対し、壁スイッチ２のＯＮが毎日の最初（１回目）のＯＮであった場合（ステップＳ３００“ＹＥＳ”）、制御部１４のＭＣＵ１４ａは、続いて無線通信部１３のビーコン信号受信部１３ａが管理者用のビーコンＩＤ情報を有するビーコン信号を受信しているか否かを判定し（ステップ１３０）、管理者用のビーコンＩＤ情報を有するビーコン信号を受信した場合（ステップ１３０“ＹＥＳ”）、管理モードに移行し（ステップＳ１４０）、その後は、図9に示すように上記実施形態２の無線通信機能付き照明装置１と同様の処理を行う。尚、その後、図４に示すように上記実施形態１の無線通信機能付き照明装置１と同様の処理を行うようにしても良い。
【００９３】
従って、実施形態３の無線通信機能付き照明装置１によれば、実施形態１，２の無線通信機能付き照明装置１とは異なり、管理者用のビーコン発信端末４を携帯した管理者は、管理モードに移行するための所定操作として壁スイッチ２のＯＮ・ＯＦＦの切替え操作を所定時間内に所定回数以上連続して繰り返す操作が必要なくなり、毎日、朝等の最初（１回目）に照明装置１のＬＥＤ照明部１１を点灯させたときのみ管理モードに自動的に移行して、Ｗｉ-Ｆｉ信号送受信部１３ｂがＷｉ-Ｆｉルータ３と接続できるか否かや、ビーコン信号受信部１３ａがビーコン信号を受信できるか否かを判定できる。
【００９４】
その結果、実施形態３の無線通信機能付き照明装置１によれば、上記実施形態１，２の無線通信機能付き照明装置１とは異なり管理者による管理モードに移行するための所定操作が不要となるので、管理者の負担を軽減しながらもＬＥＤ照明部１１の点灯状態によって本装置１に設けられている無線通信部１２が正常であるか、故障しているかを簡単に点検して報知することができる。
【００９５】
尚、上記実施形態３の説明では、所定期間として“１日”を設定し、毎日、最初（１回目）に壁スイッチ２のＯＮがあった場合に、壁スイッチ２において管理モードに移行するための所定操作が実行されたものとして説明したが、本発明では、これに限らず、所定期間として“３日”や、“１週間”、“半月”、“１月”等の“１日”以外の期間を設定しても勿論良い。
【００９６】
また、上記実施形態１〜３の説明では、照明部として直管型ＬＥＤ蛍光管のＬＥＤ照明部１１を一例に説明したが、本発明では、これに限らず、丸型ＬＥＤ蛍光管のＬＥＤ照明部１１でも良いし、電球型のＬＥＤ照明部１１でも良いし、さらには、ＬＥＤ以外の照明装置でも勿論良い。
【００９７】
また、上記実施形態１〜３の説明では、照明装置１のスイッチは、壁スイッチ２により説明したが、本発明では、これに限らず、リモコン等のスイッチでも勿論良い。
【００９８】
また、上記実施形態１〜３の説明では、ＬＥＤ照明部１１の点滅動作の間隔を変えることによってＷｉ-Ｆｉ信号送受信部１３ｂがＷｉ-Ｆｉルータ３と接続できるか否かを報知するように説明したが、本発明ではこれに限らず、例えばＬＥＤ照明部１１が色や明るさを変える機能を有する場合には、ＬＥＤ照明部１１の点滅動作の間隔の変更でなく、ＬＥＤ照明部１１が色や明るさを変更することによって、Ｗｉ-Ｆｉ信号送受信部１３ｂがＷｉ-Ｆｉルータ３と接続できるか否かを報知するようにしても良い。また、Ｗｉ-Ｆｉ信号送受信部１３ｂがＷｉ-Ｆｉルータ３と接続できない場合のみ、ＬＥＤ照明部１１を点滅させ、Ｗｉ-Ｆｉ信号送受信部１３ｂがＷｉ-Ｆｉルータ３と接続できた場合にはＬＥＤ照明部１１を通常モードと同様に点灯させるように制御しても良い。
【００９９】
また、上記実施形態１〜３の説明では、制御部１４のＭＣＵ１４ａは、ビーコン信号受信部１３ａが管理者用のビーコンＩＤ情報を有するビーコン信号を受信した際に所定のビーコン信号を受信したものと説明したが、所定の管理者のみがビーコン発信端末４を携帯し、他の入室者はビーコン発信端末４を携帯しない場合には、ビーコン信号受信部１３ａがビーコン発信端末４からビーコン信号を受信した際に所定のビーコン信号を受信したものとみなしても良い。
【符号の説明】
【０１００】
１  無線通信機能付き照明装置
１１  ＬＥＤ照明部
１２  ＡＣ／ＤＣ変換回路
１３  無線通信部
１３ａ  ビーコン信号受信部
１３ｂ  Ｗｉ-Ｆｉ信号送受信部（無線ＬＡＮ信号受信部）
１４  制御部
２  スイッチ
３  Ｗｉ-Ｆｉルータ
４  ビーコン発信端末
５  情報処理端末
６  照明装置設定用端末
７  ネットワーク
８  サーバ
９  管理用端末
【図１】
2018085281.tif 000003
【図２】
2018085281.tif 000004
【図３】
2018085281.tif 000005
【図４】
2018085281.tif 000006
【図５】
2018085281.tif 000007
【図６】
2018085281.tif 000008
【図７】
2018085281.tif 000009
【図８】
2018085281.tif 000010
【図９】
2018085281.tif 000011